(57)【要約】【課題】建物の屋根、壁、又は塀等の基本形状を形成する平坦面上に、緑化植物を植生した植生マット等の盤状体を固着部材を介して取り付ける盤状体の固定装置において、より簡便な構成でより簡素な取付け行程の実施により対応するようにしたものを提供することを課題とする。【解決手段】植生マット等の盤状体を平坦面上に固定する固着部材を、平坦面に設けた穴に埋め込む胴部の一端を閉塞、他端を開放として開放端側周縁に固着部を有する中空筒体を有し、閉塞端内面に盤状体の取付け金具を固着して構成し、簡便な構成で取扱い勝手も良く、盤状体を所望位置に確実に固定可能とする固定装置を得た。【選択図】　　　　　　図１
2004124543.tif 000002
【特許請求の範囲】
【請求項１】
建物の屋根、壁、又は塀等の基本面を形成する傾斜、水平又は垂直の平坦面上に固着部材を介して植生マット、断熱材等の盤状体を取り付ける盤状体の固定装置において、前記固着部材は、一端を閉塞すると共に他端を開放し、胴部を前記平坦面に設けた穴に埋め込まれる中空筒体と、前記開放端側で外周縁から前記平坦面に沿って突出して固着される固着部を有すると共に、前記中空筒体の閉塞端内面に前記平坦面と交差方向に延びる前記盤状体の取付け金具を固着して構成したことを特徴とする盤状体の固定装置。
【請求項２】
前記中空筒体の開放端側で外周縁から突出する固着部は、同外周縁の全周に亘って張り出すフランジ部で構成したことを特徴とする請求項１に記載の盤状体の固定装置。
【請求項３】
前記取付け金具は、前記中空筒体の閉塞端内面に基端を固着されて同中空筒体の中空部内に立設された基礎ナットと、同基礎ナットに螺着されて前記盤状体の固着位置まで延びる伸長ボルトで構成したことを特徴とする請求項１又は２に記載の盤状体の固定装置。
【請求項４】
前記取付け金具は、前記中空筒体の内面に基端を固着されて前記盤状体の固着位置まで延びる伸長ボルトで構成したことを特徴とする請求項１又は２に記載の盤状体の固定装置。
【請求項５】
前記中空筒体の内面に形成される空隙部には、パッキン又はコーキング材等のシール部材を充填したことを特徴とする請求項１乃至４の何れかに記載の盤状体の固定装置。
【発明の詳細な説明】
【０００１】
【発明の属する技術分野】
本発明は、建物の屋根、壁、又は塀等の基本形状を形成する、傾斜、水平又は垂直の平坦面上に、緑化植物を植生した植生マット、断熱材等の盤状体を固着部材を介して取り付ける盤状体の固定技術に関するものである。
【０００２】
【従来の技術】
周知のように、近時地球規模での温暖化現象やヒートアイランド現象が顕著となり、これらの対応として、首都圏のみならず地方都市においても屋上の緑化技術（緑化システム）が脚光を浴びるようになって来た。
【０００３】
この屋上の緑化技術は、始原的にはヨーロッパ、ドイツに端を発し、全世界的に広まりつつあるが、わが国においては近時緑化基準が変わったこともあって、当該緑化技術が加速的に普及する趨勢にある。
【０００４】
このような屋上の緑化技術のわが国における発展の段階を振り返ってみると、同緑化技術はフェルト製やプラスチック製の繊維製又は不織布製のマットを敷設するもの、若しくは椰子繊維質等の薄層のマットに適宜の緑化植物を植生してこれを敷設するもの等に端を発している。
【０００５】
しかしながら前記のように薄層のマットに植生を施していわゆる植生マットを形成し、これを単に敷設するだけの構成では、強風による植生マットの捲れや飛散をはじめとして、同植生マットの移動によりこのマット中に在る床土等の土壌の流出が生じやすく、また、薄層であるために水分の蒸発が生じて植生が枯れたり、同植生自体の成長が進んで緑化植物が過剰に繁殖すると、薄層での支持がダメージを受けることもあるので、このような不具合の発生を防止して緑化植物の安定的な成長を促すより適切な植生マットを作り、これを屋根等に確実に取り付けるより好ましい手法について、開発努力が進められている。
【０００６】
また、家屋の屋上改良に関する工夫という観点からすれば、屋根等に取り付ける盤状体としては前記緑化技術に係る植生マットに止まらず、建物内への断熱効果を良好にして省エネを図る断熱材を選択し、これを取り付けることも応用技術としてニーズが高まっている。
【０００７】
他方、これらの植生マットを敷設する緑化技術、又は断熱材を敷設する省エネ技術の実施対象となる家屋の屋上の形態は、この種技術の活用度が高まるに連れて多様性が増し、野地板で形成した傾斜又は水平の平坦面への取付けから凹凸面への取付け態様もあり、更に緑化技術についてはその実施場所として家屋の屋上に限らず、家屋の壁または塀や垣根の壁面のような垂直方向の平坦面も選ばれるようになっている。
【０００８】
このような状況下において、前記植生マット、断熱材等の盤状体を前記家屋の屋上等の基盤となる木毛セメント板やＡＬＣ板等の野地板に取り付けるために従来実施されている手法としては、固定ボルトを野地板の裏面から表面に貫通して設置し、同固定ボルトにより前記盤状体を固定するのが一般的である。
【０００９】
【特許文献１】
特開２００２−１１５３７３号公報
【００１０】
【発明が解決しようとする課題】
しかしながら、前記した従来の一般的な手法では、野地板の設置工期のタイミングの選択、即ち屋根の作製と野地板の設置工期のタイミング調整は不可欠であり、また、野地板を貫通させる固定ボルトの設置も漏水対策等に精密な工作を要し、しかもこれ等の対策は既設の屋根の改修に際しては困難度が倍増し、新設、改修を含め全般に施工の手間も材料費も高くなり、緑化システムや断熱材を取り付けて環境美化や省エネを図るメリットが薄れ、工務店等からの提案も施主から不採用にされる場合が多かった。
【００１１】
特に漏水対策に関しては、木毛セメント板等の野地板は、それ自体防水する必要性もあることから、防水層をその表面に重ねて設置することになるが、野地板の接合部を含め、クギ、ビス等の固着具の設置位置には、その周辺部位にコーキング材を配したり、接着剤を施したりして相応の手当てをしているものの、この程度の手当てでは手間はかかるものの必ずしも十分の効果を得られなく、ひいてはシステム全体への信頼を損なうこととなる場合もあった。
【００１２】
本発明は、このような従来の状況に鑑みてなされたもので、植生マット、断熱材等の盤状体の取付け固着に際して、より簡便な構成でなる取付け金具を採用し、より簡素な取付け行程の実施により、同盤状体をより合理的かつ確実に固定し得るようにした盤状体の固定装置を提供することを課題とするものである。
【００１３】
【課題を解決するための手段】
本発明は前記した課題を解決すべくなされたもので、その第１の手段として、建物の屋根、壁、又は塀等の基本面を形成する傾斜、水平又は垂直の平坦面上に固着部材を介して植生マット、断熱材等の盤状体を取り付ける盤状体の固定装置において、前記固着部材は、一端を閉塞すると共に他端を開放し、胴部を前記平坦面に設けた穴に埋め込まれる中空筒体と、前記開放端側で外周縁から前記平坦面に沿って突出して固着される固着部を有すると共に、前記中空筒体の閉塞端内面に前記平坦面と交差方向に延びる前記盤状体の取付け金具を固着して構成した盤状体の固定装置を提供するものである。
【００１４】
すなわち、同第１の手段によれば、植生マット、断熱材等の盤状体を傾斜、水平又は垂直の平坦面上に固定する固着部材は、前記平坦面に設けた穴に埋め込む胴部の一端を閉塞、他端を開放として開放端側周縁に固着部を有する中空筒体を有し、閉塞端内面に盤状体の取付け金具を固着して構成されているので、同中空筒体の胴部を前記平坦面に設けた穴に埋め込み、前記固着部により同平坦面に固定して所定の位置を確保し、この状態で前記中空筒体の閉塞端内面に固着されて前記平坦面と交差方向に延びる取付け金具により前記植生マット、断熱材等の盤状体を固着することにより、簡便な構成の下、取扱い勝手も良く、植生マットや断熱材等の盤状体を所望位置に確実に固定可能とし、同盤状体の敷設作業の効率を高め得るようにしたものである。
【００１５】
また、本発明は第２の手段として、前記第１の手段において、前記中空筒体の開放端側で外周縁から突出する固着部は、同外周縁の全周に亘って張り出すフランジ部で構成した盤状体の固定装置を提供するものである。
【００１６】
すなわち、同第２の手段によれば、前記傾斜、水平又は垂直の平坦面に設けた穴にその胴部を埋め込まれる中空筒体を、同平坦面に固定して所定の位置を確保すべく同中空筒体の開放端側周縁に突出して設けた固着部は、同外周縁の全周に亘って張り出すフランジ部としているので、中空筒体の胴部を埋め込んだ穴は、このフランジ部により全周に亘って隙間を生じることなく密閉状に覆われることとなり、取付け金具によりその上部に固定される植生マット等の盤状体から、水分が浸透、落下しても前記穴に侵入する心配もなく、漏水防止に有効となる。
【００１７】
また、本発明は第３の手段として、前記第１又は第２の手段において、前記取付け金具は、前記中空筒体の閉塞端内面に基端を固着されて同中空筒体の中空部内に立設された基礎ナットと、同基礎ナットに螺着されて前記盤状体の固着位置まで延びる伸長ボルトで構成した盤状体の固定装置を提供するものである。
【００１８】
すなわち、同第３の手段によれば、植生マットや断熱材等の盤状体を固着する取付け金具は、基礎ナットの基端を前記中空筒体の閉塞端内面に固着すると共に、同基礎ナットを中空筒体の中空部内に立設し、かつ、前記盤状体の固着位置まで延びる伸長ボルトをこの基礎ナットに螺着するという分割体構成となっているので、この種盤状体の工事現場への搬送はもとよりのこと、現場における取扱いも容易となり、同盤状体の敷設、固定作業を一段と安全かつスピーディに行うことができる。
【００１９】
また、本発明は第４の手段として、前記第１又は第２の手段において、前記取付け金具は、前記中空筒体の内面に基端を固着されて前記盤状体の固着位置まで延びる伸長ボルトで構成した盤状体の固定装置を提供するものである。
【００２０】
すなわち、同第４の手段によれば、植生マットや断熱材等の盤状体を固着する取付け金具は、前記盤状体の固着位置まで延びる伸長ボルトの基端を中空筒体の内面に固着したシンプルな構造としているので、部品点数も減少し、工事現場への搬送、そして直接の使用行程としての盤状体の固着作業の手順を簡素化し、前記盤状体の敷設、固定作業をより一層スピーディに行うことができる。
【００２１】
そしてまた、本発明は第５の手段として、前記第１乃至第４のいずれかの手段において、前記中空筒体の内面に形成される空隙部には、パッキン又はコーキング材等のシール部材を充填した盤状体の固定装置を提供するものである。
【００２２】
すなわち、同第５の手段によれば、前記傾斜、水平又は垂直の平坦面に設けた穴にその胴部を埋め込まれる中空筒体は、その内部で、閉塞端内面に固着された基礎ナット等の周囲に形成される空隙部にパッキン又はコーキング材等のシール部材を充填して構成されているので、基礎ナット、ひいてはこれに螺着される伸長ボルト等の配置、配列は正確に保持され、しかも前記植生マット等の盤状体から水分が浸透、落下しても、この中空体の位置で漏水は防止され、安全性、安定性を高め得るものである。
【００２３】
【発明の実施の形態】
本発明の実施の一形態について図１乃至図３に基づいて説明する。
図１は本実施の形態に係る盤状体の固定装置の全貌を示す縦断面図、図２は同実施の形態における要部の断面図、図３は図２の平面図である。
【００２４】
すなわち、本実施の形態において、１は家屋の梁で、この梁１の上には木毛セメント板やＡＬＣ板などで構成された複数の野地板２をびっしりと敷きつめて、家屋の屋根の基本面となる基盤としての平坦面を形成している。
【００２５】
ここで野地板２の表面で形成される平坦面は、通常の切妻式家屋の屋根のように、傾斜した平坦面となる場合、または陸屋根式家屋のように、実質的に水平の平坦面を形成する場合等があるが、本実施の形態における固定装置はこの何れであっても対応は変わりないので、ここでは傾斜又は水平と特に区別することなく、以下説明する。
【００２６】
前記野地板２には、これを貫通して複数の穴３が穿設されているが、平坦面上におけるこの穴３の配置、配列は、後述する植生マット又は断熱材等のいわゆる盤状体の大きさに左右され、その固定位置に応じて設定されている。
【００２７】
なお、緑化植物を植生した植生マット又は家屋の内外で熱遮断を行う断熱材等は、要すれば屋根一杯の広さのものを作製することは可能であるが、平坦のまま、又はロール上に巻いて人手で持ち運びし、人手で敷設するのに便利な大きさに予め調整されているので、本明細書においてはその形状を想定してこの植生マット等を盤状体と称呼している。
【００２８】
４はハット型金物と呼称される固着部材で、胴部４ａの一端を閉塞端４ｂとし、これに対向する他端を開放端４ｃとした中空筒体に、この開放端４ｃでその外周縁に全周に亘って張り出すフランジ部４ｄを設け、いわゆるシルクハットの形状をしていることから、ハット型金物と命名したものである。
【００２９】
このハット型金物４は、英国のジェントルマンがレディの前で恭しくダンスのプロポーズをしているかの如く、フランジ部４ｄを上にし胴部４ａを下にした、下に凸の形態で前記胴部４ａを穴３に埋め込み、フランジ部４ｄを野地板２の平坦面と密着して面接触させ、フランジ部４ｄに複数箇所設けた止め穴７を介してビス５で野地板２にタイトに固定される。
【００３０】
６は基礎ナットで、前記中空筒体を形成するハット型金物４の閉塞端４ｂ内面に基端を溶接等で固着されて立設されているが、同基礎ナット６の軸心は前記平坦面と交差する方向に延びている。
【００３１】
しかし同基礎ナット６の高さは、ハット型金物４の閉塞端４ｂから開放端４ｃの間に納まる高さとなっているので、ハット型金物４内部の空間部から外にはみ出すものはなく、同ハット型金物４はフランジ部４ｄが一方の外端部を形成することになる。
【００３２】
８は伸長ボルトで、前記基礎ナット６に螺着されて同基礎ナット６の軸方向に延び、適切な長さのものが選択されて後述する植生マット等の盤状体を固着するのに適切な位置に及ぶものである。
【００３３】
９はワッシャー、１０はナットを示し、前記野地板２で形成された平坦面の上に敷設した防水層１４を前記ワッシャー９で押え、その上から前記ナット１０を前記伸長ボルト８に螺着して締めつけることにより、防水層１４を伸長ボルト８が貫通する部位で隙間を生じることのないようにし、野地板２に対して防水層１４を密閉状に固定する。
【００３４】
１５は排水マットで、同排水マット１５は前記防水層１４の上面に敷設されている。そして１６は植生マットを示し、同植生マット１６は緑化植物を繊維素材で形成した不織布状のマット上に植生したものであり、同植生マット１６は前記排水マット１５の上面に敷設され、ワッシャー１１で押え、伸長ボルト８と螺合するナット１２でその位置を固定されている。
【００３５】
そして１３はコーキング材を示し、前記ハット型金物４の胴部４ａで基礎ナット６を立設した残部に形成される空隙部に充填され、この部位におけるシール性を高めるようにしている。
【００３６】
前記のような各構成部位を有する本実施の形態において、植生マット１６等の盤状体を屋根等の平坦面上に固定するに際し、その手順について述べれば、まずハット型金物４の胴部４ａを野地板２の穴３に埋め込み、前記フランジ部４ｄをビス５で野地板２に固定する。
【００３７】
このとき前記ハット型金物４の胴部４ａ内部で基礎ナット６を除く空隙部にはコーキング材１３が予め充填されていることが好ましいが、同コーキング材１３は前記ビス５による固定の後に充填することもできる。
【００３８】
この状態で防水層１４を屋根一杯に広げると、野地板２の上面はもとよりのこと、ハット型金物４の上部にも特別な突出物もないので、防水層１４は凹凸面を形成することなく平坦面を形成して張設される。
【００３９】
ハット型金物４の胴部４ａの内面には、その閉塞端４ｂに基礎ナット６が固着されているので、この位置を狙って前記防水層１４を貫通させて基礎ナット６に伸長ボルト８を螺着することにより、同伸長ボルト８の先端は植生マット１６の固定位置まで伸長することになる。
【００４０】
この状態で伸長ボルト８にワッシャー９を嵌め、その上方からナット１０を螺着して前記ワッシャー９を締めつけることにより、伸長ボルト８の貫通により孔の開いた防水層１４の部分はワッシャー９で密封される。
【００４１】
次いで防水層１４の上面に排水マット１５を敷き、更にその上面に植生マット１６を敷設し、ワッシャー１１で押さえてナット１２で締めつけることにより所期の狙いとする植生マット１６の固着が完了する。
【００４２】
すなわち本実施の形態によれば、閉塞端４ｂと開放端４ｃを有する胴部４ａにフランジ部４ｄを付して構成される中空体状のハット型金物４と、同ハット型金物４の内部に立設した基礎ナット６に螺着される伸長ボルト８との簡素な構成部品を巧みに組み合わせて植生マット１６等の盤状体を所定位置に確実に固着することができる。
【００４３】
従って強風にも負けず、捲れや飛散という心配もなく、植生マット１６を所望位置に確実、かつ、堅牢に固定でき、また、同植生マット１６が保有する水分が漏洩して屋根下に侵入する心配もなく植生マット１６の安定した固定保持を実行できる。
【００４４】
しかも具体的に植生マット１６の固着作業に際しては、前記ハット型金物４は持ち運び、設置等の取扱い勝手に優れ、同作業のスピードアップを実現して作業効率を高めると共に、簡便な部品の使用と相侯って全体の工事費を大幅に低減することも出来る。
【００４５】
なお、本実施の形態においては、中空体状のハット型金物４と共に植生マット１６の固着部材を構成する所謂取付け金具として、ハット型金物４の内部に設けた基礎ナット６と同基礎ナット６に螺着した伸長ボルト８を用いた例を説明したが、この取付け金具は、前記基礎ナット６と伸長ボルト８に代えて、基礎ナット６の立設位置から伸長ボルト８の先端位置まで延びる一本のボルトを採用し、これを基礎ナット６と同様にハット型金物４の内部に溶接等の手段により固着立設することもできる。
【００４６】
この変更案により植生マット１６を固着する取付け金具は、構造がシンプル化し、部品点数も減少することから、工事現場への搬送、そして直接の使用行程としての盤状体の固着作業の手順を簡素化し、前記盤状体の敷設、固定作業をより一層スピーディに行うことができる。
【００４７】
以上、本発明を図示の実施の形態について説明したが、本発明はかかる実施の形態に限定されず、本発明の範囲内でその具体的構造に種々の変更を加えてよいことはいうまでもない。
【００４８】
たとえば、ハット型金物４は胴部４ａの開放端４ｃの外周縁にはフランジ部４ｄを設けているが、このフランジ部４ｄは、前記外周縁の全体に亘って鍔状に張り出す所謂フランジに限らず、止め穴７を設けた部分だけが局部的に前記外周縁から半径方向に突出する構成としてもよい。
【００４９】
また、ハット型金物４を主要部材とする固着部材での固着対象物は、植生マット１６を主として説明したが、同固着対象物は当然ながらこれに限定されるものではなく、断熱材等の盤状体を含むものである。
【００５０】
そしてまた、植生マット１６又は断熱材等の盤状体を設置して固定する場所については、家屋の屋根を主として説明したが、これも家屋の屋根に限定されるものではなく、家屋に付随する塀、又は家屋の壁等のように、垂直な平坦面であっても良いことは勿論である。
【００５１】
【発明の効果】
以上、本出願の請求項１に記載の発明によれば、建物の屋根、壁、又は塀等の基本面を形成する傾斜、水平又は垂直の平坦面上に固着部材を介して植生マット、断熱材等の盤状体を取り付ける盤状体の固定装置において、前記固着部材は、一端を閉塞すると共に他端を開放し、胴部を前記平坦面に設けた穴に埋め込まれる中空筒体と、前記開放端側で外周縁から前記平坦面に沿って突出して固着される固着部を有すると共に、前記中空筒体の閉塞端内面に前記平坦面と交差方向に延びる前記盤状体の取付け金具を固着して盤状体の固定装置を構成しているので、前記中空筒体の胴部を前記平坦面に設けた穴に埋め込み、前記固着部により同平坦面に固定して所定の位置を確保し、この状態で前記中空筒体の閉塞端内面に固着されて前記平坦面と交差方向に延びる取付け金具により前記植生マット、断熱材等の盤状体を固着することにより、簡便な構成の下、取扱い勝手も良く、植生マットや断熱材等の盤状体を所望位置に確実に固定可能とし、同盤状体の敷設作業の効率を高め得るようにした、簡便にして有効な盤状体の固定装置を得ることが出来たものである。
【００５２】
また、請求項２に記載の発明によれば、前記請求項１に記載の発明において、前記中空筒体の開放端側で外周縁から突出する固着部は、同外周縁の全周に亘って張り出すフランジ部で構成して盤状体の固定装置を構成しているので、中空筒体の胴部を埋め込んだ穴は、このフランジ部により全周に亘って隙間を生じることなく密閉状に覆われることとなり、取付け金具によりその上部に固定される植生マット等の盤状体から、水分が浸透、落下しても前記穴に侵入する心配もなく、漏水防止に有効な好適な盤状体の固定装置を得ることが出来たものである。
【００５３】
また、請求項３に記載の発明によれば、前記請求項１又は２に記載の発明において、前記取付け金具は、前記中空筒体の閉塞端内面に基端を固着されて同中空筒体の中空部内に立設された基礎ナットと、同基礎ナットに螺着されて前記盤状体の固着位置まで延びる伸長ボルトで構成して盤状体の固定装置を構成しているので、前記したように植生マットや断熱材等の盤状体を固着する取付け金具は、基礎ナットの基端を前記中空筒体の閉塞端内面に固着すると共に、同基礎ナットを中空筒体の中空部内に立設し、かつ、前記盤状体の固着位置まで延びる伸長ボルトをこの基礎ナットに螺着するという分割体構成としたことにより、この種盤状体の工事現場への搬送はもとよりのこと、現場における取扱いも容易となり、同盤状体の敷設、固定作業を一段と安全かつスピーディに行うことができ、使い勝手に優れた好適な盤状体の固定装置を得ることが出来たものである。
【００５４】
また、請求項４に記載の発明によれば、前記請求項１又は２に記載の発明において、前記取付け金具は、前記中空筒体の内面に基端を固着されて前記盤状体の固着位置まで延びる伸長ボルトで構成して盤状体の固定装置を構成しているので、前記取付け金具を前記盤状体の固着位置まで延びる伸長ボルトの基端を中空筒体の内面に固着したシンプルな構造としたことにより、部品点数も減少し、工事現場への搬送、そして直接の使用行程としての盤状体の固着作業の手順を簡素化し、前記盤状体の敷設、固定作業をより一層スピーディに行うことができ、使い勝手の良い好適な盤状体の固定装置を得ることが出来たものである。
【００５５】
そしてまた、請求項５に記載の発明によれば、前記請求項１乃至４の何れかに記載の発明において、前記中空筒体の内面に形成される空隙部には、パッキン又はコーキング材等のシール部材を充填した盤状体の固定装置を構成しているので、同シール部材の充填により、基礎ナット、ひいてはこれに螺着される伸長ボルト等の配置、配列は正確に保持され、しかも前記植生マット等の盤状体から水分が浸透、落下しても、この中空体の位置で漏水は防止され、安全性、安定性を高め得る好適な盤状体の固定装置を得ることが出来たものである。
【図面の簡単な説明】
【図１】本発明の実施の一形態に係る盤状体の固定装置の全貌を示す縦断面図である。
【図２】本実施の形態における要部の断面図である。
【図３】図２の平面図である。
【符号の説明】
１　　　　梁
２　　　　野地板
３　　　　穴
４　　　　ハット型金物
４ａ　　　胴部
４ｂ　　　閉塞端
４ｃ　　　開放端
４ｄ　　　フランジ部
５　　　　ビス
６　　　　基礎ナット
７　　　　止め穴
８　　　　伸長ボルト
９　　　　ワッシャー
１０　　　　ナット
１１　　　　ワッシャー
１２　　　　ナット
１３　　　　コーキング材
１４　　　　防水層
１５　　　　排水マット
１６　　　　植生マット
【図１】
2004124543.tif 000003
【図２】
2004124543.tif 000004
【図３】
2004124543.tif 000005